(57)【要約】【課題】炊飯時間の短縮化を図りつつ、美味しく炊飯することのできる炊飯器を提供する。【解決手段】上面を開口した鍋状容器５と、鍋状容器５の開口を覆う蓋体１０と、鍋状容器５を加熱する加熱コイル３と、鍋状容器５内の圧力を調整する調圧弁及び調圧装置２４と、加熱コイル３及び調圧弁及び調圧装置２４を制御して炊飯工程を実行する制御手段８とを備え、制御手段８が実行する炊飯工程は、鍋状容器５内を大気圧の状態にして沸騰を維持させる常圧加熱工程（常圧強火工程及び常圧弱火工程）と、常圧加熱工程（常圧強火工程及び常圧弱火工程）の後に実行され、鍋状容器５内を大気圧よりも高圧の状態にする加圧工程（加圧強火工程及び加圧弱火工程）と、加圧工程（加圧強火工程及び加圧弱火工程）の後に実行され、鍋状容器５内の圧力を加圧工程（加圧強火工程及び加圧弱火工程）よりも低下させる減圧工程とを含む。【選択図】図２
2014144145.tif 000002
【特許請求の範囲】
【請求項１】
上面を開口した鍋状容器と、
前記鍋状容器の前記開口を覆う蓋と、
前記鍋状容器を加熱する加熱手段と、
前記鍋状容器内の圧力を調整する圧力調整手段と、
前記加熱手段及び前記圧力調整手段を制御して炊飯工程を実行する制御手段とを備え、
前記制御手段が実行する前記炊飯工程は、
前記鍋状容器内を大気圧の状態にして沸騰を維持させる常圧加熱工程と、
前記常圧加熱工程の後に実行され、前記鍋状容器内を大気圧よりも高圧の状態にする加圧工程と、
前記加圧工程の後に実行され、前記鍋状容器内の圧力を前記加圧工程よりも低下させる減圧工程とを含む
ことを特徴とする炊飯器。
【請求項２】
前記制御手段は、前記加圧工程において、
当該加圧工程の直前に実行される工程よりも単位時間当たりの電力量が大きい第一電力で、前記加熱手段に通電する
ことを特徴とする請求項１記載の炊飯器。
【請求項３】
前記加圧工程は、
前記第一電力で前記加熱手段に通電する加圧強火工程と、
前記加熱手段に通電する電力を前記第一電力よりも低下させる加圧弱火工程とを含む
ことを特徴とする請求項２記載の炊飯器。
【請求項４】
前記制御手段は、
前記常圧加熱工程を開始してからの経過時間が予め設定された時間を経過すると、次の工程に移行する
ことを特徴とする請求項１〜請求項３のいずれか一項に記載の炊飯器。
【請求項５】
前記鍋状容器の温度を検知する容器温度検知手段を備え、
前記制御手段は、
前記常圧加熱工程において検知された前記容器温度検知手段の検知温度に基づいて、次の工程に移行するか否かを判断する
ことを特徴とする請求項１〜請求項３のいずれか一項に記載の炊飯器。
【請求項６】
前記制御手段は、
前記常圧加熱工程において、前記容器温度検知手段の検知温度が予め設定された温度に到達した場合又は前記容器温度検知手段の検知温度の温度上昇率が予め設定された値に到達した場合に、次の工程に移行する
ことを特徴とする請求項５記載の炊飯器。
【請求項７】
経過時間を計測する時間計測手段を備え、
前記制御手段は、
前記加圧工程を開始してからの経過時間が予め設定された時間を経過すると、前記減圧工程に移行する
ことを特徴とする請求項１〜請求項６のいずれか一項に記載の炊飯器。
【請求項８】
前記鍋状容器内で発生した蒸気を冷却する蒸気冷却手段を備えた
ことを特徴とする請求項１〜請求項７のいずれか一項に記載の炊飯器。
【請求項９】
前記蒸気冷却手段は、
内部に水を貯留する水タンクと、
前記鍋状容器内の蒸気を前記水タンクに導く蒸気導管とを備えた
ことを特徴とする請求項８記載の炊飯器。
【請求項１０】
前記蒸気冷却手段は、前記鍋状容器内から排出された蒸気に送風する送風手段を備え、
前記送風手段は、前記減圧工程において前記蒸気に送風する
ことを特徴とする請求項８記載の炊飯器。
【発明の詳細な説明】
【技術分野】
【０００１】
本発明は、米等の食品を入れた鍋状容器を本体内に収容して加熱調理する炊飯器に関する。
【背景技術】
【０００２】
炊飯器を使用する使用者が炊飯器に望む機能の１つとして、早く、且つ、美味しい米飯を炊くことが挙げられる。
ところが、大気圧条件下で短時間の炊飯を行うと、米飯粒の中心部のデンプンまで十分に糊化が進まず、食味の悪い状態に炊き上がってしまう場合があった。
【０００３】
そこで従来、米飯の糊化を促進して美味しいご飯を炊くことを目的として、米と水を収容した鍋内の圧力を大気圧以上にして炊飯する炊飯器が知られている。そのような炊飯器として、「前記加熱手段を制御して加熱、沸騰及びドライアップ等の行程からなる炊飯運転を実行させる制御手段とを具備し、前記制御手段は、炊飯運転時に前記弁装置を閉塞させ、加熱行程中は前記加熱手段の入力を前記鍋内の圧力が大気圧より急速に上昇するように制御し、沸騰行程では前記加熱手段の入力を低下させて前記鍋内の圧力を略１．４気圧以上の値に設定された設定圧力に維持させ、ドライアップ行程では前記加熱手段の入力を前記鍋内の圧力がそれ以前の圧力をよりも大になるように制御した後に停止させる」炊飯器が提案されている。（例えば、特許文献１参照）。
【先行技術文献】
【特許文献】
【０００４】
【特許文献１】特開２００５−２３０１６９号公報（請求項１、図１）
【発明の概要】
【発明が解決しようとする課題】
【０００５】
しかしながら、実験によれば、被加熱物が沸騰して１００℃となってからすぐに鍋内を大気圧以上に加圧すると、米飯粒の表層に過剰なおねばが付着し、べちゃべちゃとした不快な粘りが生成されてしまうこと、並びに、米飯粒の表層部が過度に軟らかくなるため、米飯粒の中心部と表層部とに硬さの差が生じ、食味が低下することが分かった。
【０００６】
本発明は、上記のような課題を背景としてなされたもので、炊飯時間の短縮化を図りつつ、美味しく炊飯することのできる炊飯器を提供するものである。
【課題を解決するための手段】
【０００７】
本発明に係る炊飯器は、上面を開口した鍋状容器と、前記鍋状容器の前記開口を覆う蓋と、前記鍋状容器を加熱する加熱手段と、前記鍋状容器内の圧力を調整する圧力調整手段と、前記加熱手段及び前記圧力調整手段を制御して炊飯工程を実行する制御手段とを備え、前記制御手段が実行する前記炊飯工程は、前記鍋状容器内を大気圧の状態にして沸騰を維持させる常圧加熱工程と、前記常圧加熱工程の後に実行され、前記鍋状容器内を大気圧よりも高圧の状態にする加圧工程と、前記加圧工程の後に実行され、前記鍋状容器内の圧力を前記加圧工程よりも低下させる減圧工程とを含むものである。
【発明の効果】
【０００８】
本発明によれば、大気圧の状態で鍋状容器内の沸騰を維持する常圧加熱工程の後、鍋状容器内に加圧する加圧工程を実行する。常圧加熱工程において鍋状容器内に米に吸水されずに残っている水分がなくなった後に、鍋状容器内に加圧することで、常圧加熱工程において米の吸水と糊化が促進され、米飯粒の表層における不快な粘り、及び米飯粒中心部と表層部との硬さの差を抑制して、安定的に美味しい米飯を炊くことができる。鍋状容器内に加圧することで、米飯粒の糊化を促進することができるので、炊飯時間を短縮することが可能となる。
【図面の簡単な説明】
【０００９】
【図１】実施の形態１に係る炊飯器１００の構成の一例を概略的に示す断面模式図である。
【図２】実施の形態１に係る炊飯工程と、被加熱物温度、鍋状容器温度、加熱コイルへの通電電力、及び調圧装置の動作の推移を示す図である。
【図３】実施の形態１に係る炊飯器の炊飯工程を説明するフローチャートである。
【図４】鍋状容器内の最大圧力及び炊飯時間と、炊き上がりの米飯の状態との関係とを示す表である。
【図５】実施の形態１に係る炊飯工程の変形例である。
【図６】実施の形態２に係る炊飯器１００Ａの構成の一例を概略的に示す断面模式図である。
【発明を実施するための形態】
【００１０】
以下、本発明に係る炊飯器の実施の形態について、図面を参照しながら説明する。なお、以下に説明する実施の形態によって本発明が限定されるものではない。また、図１を含め、以下の図面では各構成部材の大きさの関係が実際のものとは異なる場合がある。また、以下の説明において、理解を容易にするために方向を表す用語（例えば「上」、「下」、「右」、「左」、「前」、「後」など）を適宜用いるが、これは説明のためのものであって、これらの用語は本願発明を限定するものではない。
【００１１】
実施の形態１．
図１は、実施の形態１に係る炊飯器１００の構成の一例を概略的に示す断面模式図である。図１に基づいて、炊飯器１００について説明する。この炊飯器１００は、被加熱物（本実施の形態１では米２００及び水２０１）を入れた鍋状容器５を加熱コイル３で加熱することで被加熱物を炊き上げるものである。図１に示すように、炊飯器１００は、例えば外観が有底筒状の本体１と、本体１に取り付けられ本体１の上部開口部を開閉する蓋体１０とを備えている。
【００１２】
（本体１）
本体１は、容器カバー２と、加熱手段としての加熱コイル３と、鍋底温度センサー４と、蓋体１０を開閉自在に支持するヒンジ部６と、時間計測手段７と、各部及び各装置を駆動制御して炊飯工程を実行する制御手段８とを備えている。
【００１３】
容器カバー２は、有底筒状に形成されていて、その内部に鍋状容器５が着脱自在に収容される。容器カバー２の底部中央には、鍋底温度センサー４が挿入される孔部２ａが設けられている。
なお、鍋状容器５は、誘導加熱により発熱する磁性体金属を含む材料で構成され、有底円筒形状である。鍋状容器５の上端部外周には、フランジ部５ａが形成されている。
【００１４】
加熱コイル３は、制御手段８により通電制御され、鍋状容器５を誘導加熱するものである。なお、加熱手段として、加熱コイル３に代えてシーズヒーター等の電気ヒーターを設けてもよい。また、図１の例では、鍋状容器５の底面近傍に加熱コイル３を配置しているが、加熱コイル３の配置は図示のものに限定されず、例えば鍋状容器５の底面近傍に加えて鍋状容器５の側面に沿って加熱コイル３を設けてもよい。
【００１５】
鍋底温度センサー４は、例えばサーミスタで構成され、鍋状容器５の温度を検知する。本実施の形態１の鍋底温度センサー４は、バネ等の弾性手段によって上方に付勢されており、容器カバー２に収容された鍋状容器５の底面に接する。鍋底温度センサー４が検知した鍋状容器５の温度に関する情報は、制御手段８に出力される。なお、鍋底温度センサー４の具体的構成はサーミスタに限定されず、鍋状容器５に接触して温度を検知する接触式温度センサーのほか、例えば赤外線センサー等の鍋状容器５の温度を非接触で検知する非接触式温度センサーを採用してもよい。
【００１６】
ヒンジ部６は、本体１の上部の一端側（図１の紙面左側）に設けられ、蓋体１０を開閉自在に支持する。
なお、本体１に、炊飯器１００を運搬するためのハンドル（図示省略）を設けておいてもよい。ハンドルを設ける場合には、ハンドルを本体１の側面上部の略前後中央に軸支し、ハンドルの回転方向を蓋体１０の回動方向と一致させるとよい。そうすれば、炊飯器１００を運搬する際には、使用者はハンドルの軸支点のほぼ直上に位置するようにハンドルを回転させて持ち上げ、ハンドルのみを持って炊飯器１００を運搬することが可能となる。
【００１７】
時間計測手段７は、制御手段８からの指示信号に基づいて経過時間をカウントする。時間計測手段７がカウントした経過時間は、制御手段８に出力される。
【００１８】
制御手段８は、鍋底温度センサー４、並びに蓋体１０に設けられた操作表示部１５及び内部温度センサー１６からの出力に基づいて、加熱コイル３に通電する高周波電流及び後述する調圧装置２４の動作を制御する。そのほか、制御手段８は、炊飯器１００の動作全般を制御する。制御手段８は、その機能を実現する回路デバイスのようなハードウェアで構成することもできるし、マイコンやＣＰＵのような演算装置と、その上で実行されるソフトウェアとにより構成することもできる。
【００１９】
（蓋体１０）
蓋体１０は、外蓋１１と、内蓋１２とを有している。外蓋１１には、着脱できるカートリッジ１４が設けられ、外蓋１１の上面には操作表示部１５が設けられている。また、蓋体１０には、調圧装置２４及び調圧弁を備え、鍋状容器５内の圧力を調整する圧力調整手段が設けられている。
【００２０】
外蓋１１は、蓋体１０の上部及び側部を構成し、外蓋１１の下面（鍋状容器５に対向する面）には、内蓋１２が着脱自在に取り付けられている。内蓋１２は、例えばステンレスなどの金属で構成されており、外蓋１１の本体１側の面に係止材１３を介して取り付けられている。内蓋１２の周縁部には、鍋状容器５の上端部外周に形成されたフランジ部５ａとの密閉性を確保するシール材である蓋パッキン９が取り付けられている。また、内蓋１２には、内部温度センサー１６を挿入させる孔部１２ａが設けられ、外蓋１１には、内蓋１２の孔部１２ａに挿入された内部温度センサー１６の外周の隙間を塞ぐパッキン１１ａが取り付けられている。
【００２１】
（圧力調整手段）
次に、実施の形態１に係る炊飯器１００の圧力調整手段を説明する。
鍋状容器５内の圧力を調整する圧力調整手段は、調圧口２０が形成された弁座２１、弁座２１の上に載置されるボール状の弁体２２、及び弁体２２を収容する弁室を形成するフレーム２３を備えた調圧弁と、この調圧弁を駆動する調圧装置２４とを有する。
【００２２】
（調圧弁）
調圧口２０が形成された弁座２１は、内蓋１２の略中央部に形成された開口に取り付けられている。蓋体１０が閉じられた状態においては、調圧口２０を介して鍋状容器５の内部と外部とが連通し、鍋状容器５内の蒸気は調圧口２０を通って外部へ流出する。ボール状の弁体２２は、弁座２１の上に載置され、その位置に応じて調圧口２０を開閉する。調圧口２０の上に弁体２２が位置している状態においては、弁体２２はその重量を利用して調圧口２０を封止し、鍋状容器５内を所定の圧力に保つ。また、弁体２２は、調圧装置２４からの力を受けて移動して調圧口２０を開放し、鍋状容器５内の圧力を低下させる。弁体２２の周囲はフレーム２３で囲まれており、弁体２２は弁座２１から脱落しないようになっている。
【００２３】
この調圧弁は、内蓋１２の上面に、上方に向かって突出して設けられている。内蓋１２が外蓋１１に取り付けられた状態においては、外蓋１１の下面に設けられた調圧室２６に調圧弁が挿入される。外蓋１１の下面には、調圧室２６の外側を囲み、調圧室２６内の蒸気が調圧室２６の外部（外蓋１１と内蓋１２との間に形成される空間）に漏れ出すのを防ぐ調圧空間パッキン２５が取り付けられている。
【００２４】
（調圧装置２４）
調圧装置２４は、制御手段８に制御され、調圧弁の動作を制御する。調圧装置２４は、ソレノイドと、ソレノイドに駆動されるプランジャと、プランジャに固定され弁体２２と対向する位置に設けられた作動体と、作動体を突出方向に付勢するバネとを備える。ソレノイドは制御手段８によって通電制御され、ソレノイドへの通電状態（オン又はオフ）に応じてプランジャ及び作動体の突出状態が切り替わる。ソレノイドへの通電状態がオフ状態である場合、プランジャ及び作動体はバネに付勢されて突出状態となり、作動体に押されて弁体２２は調圧口２０から外れ、鍋状容器５内の空気と外気とが流通可能となって鍋状容器５内に圧力は印加されない。一方、ソレノイドへの通電状態がオン状態である場合、プランジャ及び作動体は吸引されて弁体２２を押さず、弁体２２は調圧口２０を塞いで鍋状容器５の空気及び外気の流通を遮断する。
【００２５】
なお、ここで説明した圧力調整手段の具体的構成は一例であり、鍋状容器５内の圧力を大気圧の状態及び大気圧よりも高い高圧状態に切り替えることのできるものであれば、圧力調整手段の具体的構成は限定されない。
【００２６】
（カートリッジ１４）
カートリッジ１４には、炊飯中に発生する蒸気圧に応じて上下動する弁（図示せず）を備えた蒸気取入口１４ａと、蒸気取入口１４ａの弁を通過した蒸気を外部へ排出する蒸気排出口１４ｂとが設けられている。蒸気取入口１４ａは、調圧室２６に通じており、調圧弁を通過して調圧室２６内に流入した蒸気は、蒸気取入口１４ａからカートリッジ１４内に入ってカートリッジ１４内を流れ、蒸気排出口１４ｂからカートリッジ１４の外へ流出する。カートリッジ１４内を流れる過程において蒸気は冷却されて復水するので、炊飯器１００の外へ流出する蒸気量を減らすことができる。
【００２７】
（操作表示部１５）
操作表示部１５は、外蓋１１の上面に設けられている。この操作表示部１５は、使用者からの操作入力を受け付けるとともに、操作入力に関する情報及び炊飯器１００の動作状態を表示する。操作表示部１５に対して設定可能な項目としては、例えば、炊飯の開始、取り消し、炊飯予約、炊飯メニューがある。炊飯メニューの具体例としては、標準炊飯又は早炊き炊飯等の炊飯時間に関するもの、かため又はやわらかめ等の炊き上がりの米飯のかたさに関するもの、白米炊飯又は無洗米炊飯等の米の種類に関するもの等が挙げられる。操作表示部１５が表示する項目としては、例えば、炊飯中又は予約待機中等の炊飯器１００の状態、設定されている炊飯メニューの内容、炊き上がりの予定時刻、現在時刻、炊飯する米の量等が挙げられる。なお、ここで示した操作表示部１５の具体的構成は一例であり、本願発明を限定するものではない。
【００２８】
操作表示部１５に対して使用者が操作入力を行うと、本体１に内蔵された制御手段８は、入力された炊飯メニュー及び炊飯する米の量に合わせた炊飯プログラムに従って、加熱コイル３及び調圧装置２４を動作させて炊飯工程を実行する。
【００２９】
（内部温度センサー１６）
内部温度センサー１６は、鍋状容器５内の温度を検知する温度検知手段であり、外蓋１１に取り付けられている。内部温度センサー１６の一部は内蓋１２の孔部１２ａに挿入されており、内部温度センサー１６は孔部１２ａを介して鍋状容器５内の温度を検知する。内部温度センサー１６は、例えばサーミスタで構成することができる。内部温度センサー１６が検知した鍋状容器５内の温度に関する情報は、制御手段８に出力される。
【００３０】
次に、本実施の形態１に係る炊飯器の炊飯工程の動作について説明する。
【００３１】
図２は、実施の形態１に係る炊飯工程と、被加熱物温度、鍋状容器温度、加熱コイルへの通電電力、及び調圧装置の動作の推移を示す図である。なお、本実施の形態１では、被加熱物温度、すなわち鍋状容器５の内部温度を、内部温度センサー１６の検出値に基づいて検出する。また、鍋状容器温度（鍋状容器５の温度）を、鍋底温度センサー４の検出値に基づいて検出する。また、図２では、調圧装置２４のソレノイドへ通電されている状態を「オン（加圧）」と表記し、調圧装置２４のソレノイドへの通電が遮断されている状態を「オフ」と表記している。
また、図３は、実施の形態１に係る炊飯器の炊飯工程を説明するフローチャートである。
以下、実施の形態１に係る炊飯器１００の炊飯工程を、図２及び図３を参照して説明する。なお、図２及び図３にそれぞれ示すＳ１、Ｓ２、・・・、Ｓ８は、互いに対応している。
【００３２】
まず、炊飯工程を構成する各工程について大まかに説明する。
図２、図３に示すように、本実施の形態１に係る炊飯器の炊飯工程は、予熱工程（ステップＳ１）と、昇温工程（ステップＳ２）と、常圧強火工程（ステップＳ３）及び常圧弱火工程（ステップＳ４）を有する常圧加熱工程と、加圧強火工程（ステップＳ５）及び加圧弱火工程（ステップＳ６）を有する加圧工程と、減圧工程（ステップＳ７）と、蒸らし工程（ステップＳ８）とを含んでいる。
【００３３】
次に、図２と図３に沿って、本実施の形態１に係る炊飯器１００の炊飯動作についてさらに説明する。
まず、使用者が、所定量の米とその米量に応じた水量の水を入れた鍋状容器５を本体１内の容器カバー２に収納し、外蓋１１を閉じ、操作表示部１５の炊飯開始スイッチを押して炊飯開始の動作指示を行うと、制御手段８は炊飯工程を開始する。制御手段８は、まず、炊飯工程の最初の工程である予熱工程を開始する。
【００３４】
（予熱工程）
予熱工程とは、鍋状容器５内の水が沸騰する前の段階であり、鍋状容器５を予熱温度（例えば６０℃）で所定時間加熱し、これによって米の吸水を促進し、甘味成分である糖などの呈味成分を生成する工程である。なお、予熱工程は、大気圧状態、すなわち弁体２２が調圧口２０を開放した状態で行われる。
【００３５】
ステップＳ１の予熱工程では、制御手段８は、時間計測手段７に予熱工程の経過時間の計測を開始させるとともに、鍋底温度センサー４の検知温度が所定の予熱温度Ｔ０を維持するように、加熱コイル３への所定電力の通電と電力遮断とを繰り返して鍋状容器５の温度調節を行う（図２参照）。そして、時間計測手段７により計測された経過時間が所定の予熱時間に達すると、制御手段８は、ステップＳ２の昇温工程に進む。
【００３６】
（昇温工程）
ステップＳ２の昇温工程は、鍋状容器５内の水を沸騰させる工程であり、予熱工程終了後から鍋状容器５内の水が沸騰するまでの工程をいう。昇温工程は、鍋状容器５内が大気圧の状態で行われる。
昇温工程では米の吸水が急速に進み、米の糊化が始まるため、鍋状容器５の内部の米に吸水されずに残って鍋状容器５内を流動できる状態の水（遊離水と称する）の量が徐々に減っていく。内部温度センサー１６の検知した温度が沸騰温度（１００℃）に到達したことで鍋状容器５内の沸騰を検知すると、制御手段８は、ステップＳ３の常圧強火工程に進む。
【００３７】
（常圧強火工程）
ステップＳ３の常圧強火工程では、鍋状容器５内を大気圧の状態にして、鍋状容器５の温度が沸騰温度以上の温度になるように所定電力で所定時間加熱することで、被加熱物の沸騰状態を維持し、遊離水が鍋状容器５内の米粒に均一に行きわたるようにする。具体的には、制御手段８は、時間計測手段７に常圧強火工程の経過時間の計測を開始させ（Ｓ３１）、電力Ｐ０で加熱コイル３に通電して鍋状容器５を加熱する（Ｓ３２）。
【００３８】
なお、この常圧強火工程において、鍋状容器５の温度をオーバーシュートさせて鍋状容器５内を一時的に加圧し、その後、蒸気を抜いて大気圧の状態に戻して沸騰維持させてもよい。そうすることで鍋状容器５内の被加熱物がムラなく全体が均一に沸騰するため、被加熱物にいわゆるカニ穴が形成され、ふっくらと好ましい状態に米飯が炊き上がることにつながる。
【００３９】
時間計測手段７が計測した常圧強火工程の時間が予め設定された所定時間ｔａに達すると（Ｓ３３；Ｙｅｓ）、制御手段８は、常圧強火工程を終了してステップＳ４の常圧弱火工程に移行する。
【００４０】
（常圧弱火工程）
ステップＳ４の常圧弱火工程では、制御手段８は、時間計測手段７に常圧弱火工程の経過時間の計測を開始させる（Ｓ４１）。また、制御手段８は、常圧強火工程よりも単位時間当たりの電力量が低く、且つ、鍋状容器５内の被加熱物が大気圧の条件下で沸騰維持可能となるような電力Ｐ１で鍋状容器５を加熱する（Ｓ４２）。常圧弱火工程では、常圧強火工程よりも単位時間当たりの電力量が小さい電力Ｐ１で加熱することで、被加熱物の焦げ付きを抑制することができ、沸騰状態を維持することで米の吸水と糊化をさらに促すことができる。
【００４１】
この常圧弱火工程において、鍋状容器５内に残っている遊離水は、米に吸水されつつ米粒から溶出したデンプンなどの成分と結合し、鍋状容器５内を流動できる状態ではなくなる。すなわち、遊離水は粘度の高い「おねば」となり、おねばが米飯粒の表層を覆った状態へと変化する。遊離水がなくなると、遊離水の蒸発潜熱として使われていた熱エネルギーが鍋状容器５の温度上昇に使われるため、鍋状容器５の温度は徐々に上昇する。
【００４２】
時間計測手段７により計測された常圧弱火工程の経過時間が所定時間ｔｂに達すると（Ｓ４３；Ｙｅｓ）、制御手段８は、ステップＳ５の加圧強火工程に進む。このように所定の時間、大気圧の状態で沸騰を維持することで、米の吸水と糊化が過不足のない状態となるようにコントロールすることができるため、炊き上がりの米飯に芯が残るようなことはなく、安定的に美味しく炊き上げることにつながる。なお、所定時間ｔｂは、鍋状容器５内の米の吸水及び糊化の状態を所望の状態にするための時間であり、予め実験等により求められた時間である。
【００４３】
なお、上記説明では、常圧弱火工程の経過時間が所定時間ｔｂに達すると次の工程である加圧強火工程に移行することを説明したが、鍋状容器５の温度に基づいて加圧強火工程に移行するか否かを判定してもよい。図２に例示するように、常圧弱火工程の開始当初は常圧強火工程よりも鍋状容器５の温度がいったん低下するが、常圧弱火工程で加熱を行って鍋状容器５内の遊離水がなくなると、遊離水の蒸発潜熱として使われていた熱エネルギーが鍋状容器５の温度上昇に使われ、鍋状容器５の温度は徐々に上昇する。したがって、鍋底温度センサー４で検知される鍋状容器５の温度は、鍋状容器５内の遊離水が米に吸水されてなくなり、常圧弱火工程で必要な加熱が行われた状態になったことを示す指標となる。そこで、常圧弱火工程において、鍋底温度センサー４で検知される鍋状容器５の温度がいったん低下した後に上昇して予め設定された温度に到達すると、次の工程に移行する。もしくは、常圧弱火工程において、鍋底温度センサー４で検知される鍋状容器５の温度がいったん低下した後に、鍋状容器５の温度上昇率（単位時間当たりの温度上昇量）が予め設定された値に到達すると、次の工程に移行する。このようにすることで、鍋状容器５内に遊離水がなくなったタイミングを精度よく検知して次の工程に移行できるので、米飯粒の表層に過剰なおねばが付着するのを抑制できる。このため、べちゃべちゃとした不快な粘りが米飯粒の表層に形成されてしまうことを抑制でき、炊き上がりの米飯の食味向上につながる。また、鍋状容器５内の被加熱物の焦げ付きを抑制することができる。
【００４４】
また、常圧弱火工程から加圧強火工程へ移行する条件として、鍋状容器５内の水分の蒸発量を用いてもよい。具体的には、鍋状容器５及び鍋状容器５内の被加熱物の重量を検知する重量センサー（図示せず）を設け、この重量センサーが検知する鍋状容器５及び被加熱物の重量変化から、制御手段８が鍋状容器５内の水の蒸発量を算出する。そして、制御手段８は、算出した蒸発量に基づいて鍋状容器５内の余分な水分が蒸発したと判断すると、次の工程である加圧強火工程へ移行する。もしくは、鍋状容器５内の遊離水がなくなると鍋状容器５の外へ排出される蒸気量が減ることから、制御手段８は、単位時間当たりの蒸発量が予め設定された値まで低下すると、次の工程である加圧強火工程に移行する。このようにしても、鍋状容器５内に遊離水がなくなったタイミングを精度よく検知して次の工程に移行できるので、米飯粒の表層に過剰なおねばが付着するのを抑制できる。このため、べちゃべちゃとした不快な粘りが米飯粒の表層に形成されてしまうことを抑制でき、炊き上がりの米飯の食味向上につながる。また、鍋状容器５内の被加熱物の焦げ付きを抑制することができる。
【００４５】
（加圧強火工程）
ステップＳ５の加圧強火工程は、鍋状容器５内を常圧から圧力が高い状態へと変化させる工程である。実施の形態１では、鍋状容器５を加熱することで被調理物から蒸気を発生させ、その蒸気を利用して鍋状容器５内を高圧状態にする。
【００４６】
制御手段８は、調圧装置２４のソレノイドへの通電状態をオンにして弁体２２が調圧口２０を塞ぐようにし、被加熱物から発生する蒸気を利用して鍋状容器５内に加圧する（Ｓ５１）とともに、時間計測手段７に加圧強火工程の経過時間の計測を開始させる（Ｓ５２）。そして常圧弱火工程における電力Ｐ１よりも単位時間当たりの電力量が高くなるような電力Ｐ２を加熱コイル３に投入して鍋状容器５を加熱する（Ｓ５３）。そうすることで、鍋状容器５内に短時間で蒸気が充満して鍋状容器５内を高圧状態にすることができるため、米の糊化が促進されて炊飯時間の短縮につながり、かつ、低い電力でゆっくり長時間加熱するよりも米飯の焦げ付きを抑制できる。なお、電力Ｐ２は、本発明の第一電力に相当する。
【００４７】
時間計測手段７により計測された加圧強火工程の経過時間が所定時間ｔｃに達すると（Ｓ５４；Ｙｅｓ）、制御手段８は加圧強火工程を終了してステップＳ６の加圧弱火工程に進む。
【００４８】
なお、上記説明では、経過時間が所定時間ｔｃに達すると加圧強火工程を終了するものとして説明したが、鍋状容器５内の圧力に基づいて加圧強火工程を終了するか否かを判断してもよい。具体的には、鍋状容器５内に圧力を検知する圧力センサー（図示せず）を設け、この圧力センサーの検知圧力が所定の圧力（大気圧よりも高い圧力）を検知したら、制御手段８は加圧強火工程を終了してステップＳ６の加圧弱火工程に進む。このようにすることで、鍋状容器５内に発生した蒸気によって鍋状容器５内の圧力が十分に上がっているにもかかわらず電力Ｐ２で加熱し続けることがないため、無駄な加熱を抑制して省エネルギー化することができ、また被加熱物の焦げ付きを抑制することができる。
【００４９】
（加圧弱火工程）
ステップＳ６の加圧弱火工程は、鍋状容器５内を大気圧よりも高い状態に保持し、米飯粒の中心部まで糊化させる工程である。
制御手段８は、時間計測手段７に加圧弱火工程の経過時間の計測を開始させる（Ｓ６１）。そして加圧強火工程における電力Ｐ２よりも単位時間当たりの電力量が低くなるような電力Ｐ３を加熱コイル３に投入して鍋状容器５を加熱する（Ｓ６２）。そうすることで、鍋状容器５で加熱コイル３に近い部分、本実施の形態１では鍋状容器５の底面部のみが焦げることなく、鍋状容器５内をムラなく高温状態に維持することができる。
【００５０】
時間計測手段７により計測された加圧弱火工程の経過時間が、鍋状容器５内が所望の圧力状態になる所定時間ｔｄに達すると（Ｓ６３；Ｙｅｓ）、制御手段８は加熱コイル３への通電を遮断する（Ｓ６４）。こうすることで、鍋状容器５内が過剰に高圧力にならず、また必要以上に鍋状容器５内の米飯から蒸気が飛ばないため、米飯粒の焦げを防ぎ、適度な硬さと粘りを実現することができる。
そして、時間計測手段７により計測された加圧弱火工程の経過時間が、所定時間ｔｅに達すると（Ｓ６５；Ｙｅｓ）、制御手段８は加圧弱火工程を終了してステップＳ７の減圧工程に進む。なお、加圧弱火工程の終了の判定に用いられる所定時間ｔｅは、鍋状容器５内を所望の高圧力状態に保持すべき時間であり、予め実験等により算出された時間である。
【００５１】
なお、上記説明では、ステップＳ６３において経過時間が所定時間ｔｄに達するとステップＳ６４に進んで加熱コイル３への通電を停止することを説明したが、鍋状容器５内の圧力に基づいて加熱コイル３への通電の停止タイミングを決定してもよい。
具体的には、鍋状容器５内の圧力を検知する圧力センサー（図示せず）を設け、ステップＳ６３でこの圧力センサーが所望の高圧状態である所定圧力を検知したら、ステップＳ６４に進む。
又は、圧力センサーを設けるのではなく、内部温度センサー１６が検知した温度情報に基づいて鍋状容器５内の圧力を算出してもよい。具体的には、ステップＳ６３において、鍋状容器５内が所望の高圧状態となるときの内部温度を内部温度センサー１６が検知すると、ステップＳ６４に進む。
このように、鍋状容器５内の圧力が所望の高圧状態となったときにステップＳ６４に進んで加熱コイル３への通電を停止することで、鍋状容器５内を圧力が高すぎる状態あるいは低すぎる状態にすることなく、最適な圧力環境を鍋状容器５内に作ることができる。また、鍋状容器５内を所定圧力まで上昇させるのに必要な加熱量を超えて加熱コイル３で鍋状容器５を加熱することがない。したがって、電力Ｐ３で加熱する時間を抑えることができ、省エネルギー化できるとともに、加熱による米飯粒の乾燥や焦げを抑制できるという効果を奏する。
【００５２】
もしくは、時間計測手段７及び圧力センサーの両方を設け、加圧弱火工程の経過時間が所定時間ｔｄに達したこと、及び圧力センサーが所定圧力を検知したことのいずれか一方又は両方の条件を満たしたときに、ステップＳ６４に進んでもよい。
例えば、鍋状容器５と蓋パッキン９のはめ合わせが上手くいっていなかったり、鍋状容器５と蓋パッキン９との間に異物が挟まっていたり、もしくは蓋パッキン９の劣化が発生したりしていた場合には、鍋状容器５と蓋パッキン９との間又は蓋パッキン９から鍋状容器５内の蒸気が漏れてしまう可能性がある。もしそのような蒸気漏れが生じた場合、鍋状容器５内の圧力は上昇しない。
このため、ステップＳ６４への移行条件が圧力センサーの検知情報だけの場合は、圧力センサーが所定圧力（つまり、所望の圧力状態）を検知できずに延々と電力Ｐ３で加熱することになってしまう。この状態のまま加熱を続けると本体１の外部へ蒸気が漏れたり、米飯が焦げ付いたりしてしまう可能性がある。そのため、圧力センサーの検知圧力が所定圧力に未達であっても、時間計測手段７の計測時間が所定時間ｔｄに達した場合は、ステップＳ６４に進むことで上記のような問題を回避することが可能となる。
また、圧力センサーの検出圧力をステップＳ６４への移行条件の一つとすることで、鍋状容器５内の圧力が高すぎたり低すぎたりすることなく、最適な圧力環境を鍋状容器５内に作ることができる。また、鍋状容器５内を所定圧力まで上昇させるのに必要な加熱量を超えて加熱コイル３で鍋状容器５を加熱することがない。したがって、電力Ｐ３で加熱する時間を抑えることができ、省エネルギー化できるとともに、加熱による米飯粒の乾燥や焦げを抑制できるという効果を奏する。
【００５３】
また、上記説明では、ステップＳ６の加圧弱火工程の前半では加圧強火工程よりも小さい電力Ｐ２で加熱コイル３に通電し、加圧弱火工程の後半のステップＳ６４では加熱コイル３への通電を遮断して加熱を停止する例を説明したが、加圧弱火工程において加熱を停止することなく以下のような加熱制御を行ってもよい。すなわち、時間計測手段７及び圧力センサーの両方を設け、加圧弱火工程の経過時間が所定時間ｔｘに達するまでの間、圧力センサーの検出圧力に基づいて加熱コイル３への通電を制御する。
具体的には、ステップＳ６の加圧弱火工程を開始すると、制御手段８は、時間計測手段７により加圧弱火工程の経過時間の計測を開始し、所定時間ｔｘに到達するまでの間、鍋状容器５内の圧力を検知する圧力センサーの検知圧力が所定の圧力ｐ１からｐ２（ｐ１＜ｐ２）の範囲内の圧力を維持するように、所定電力での加熱コイル３への通電と電力遮断とを繰り返す。より詳細には、圧力センサーの検知圧力が圧力ｐ１以下であるときには、加熱コイル３へ所定電力で通電を行い、圧力センサーの検知圧力が圧力ｐ２を超えると加熱コイル３への通電を遮断して、鍋状容器５内の圧力調節を行う。そして、時間計測手段７により計測された経過時間が、所定時間ｔｘに到達すると、ステップＳ７の減圧工程に進む。
こうすることで、鍋状容器５内の圧力を一定に保持でき、かつ、その圧力で保持される時間を一定にできるため、安定的に美味しい米飯を炊き上げることができる。
【００５４】
（減圧工程）
ステップＳ７の減圧工程に進むと、制御手段８は、調圧装置２４のソレノイドへの通電を遮断して弁体２２に調圧口２０を開放させ、鍋状容器５内の減圧を開始し（Ｓ７１）、時間計測手段７に減圧工程の経過時間の計測を開始させる（Ｓ７２）。弁体２２が調圧口２０を開放すると、鍋状容器５内の蒸気が、調圧口２０、カートリッジ１４の蒸気取入口１４ａ、及び蒸気排出口１４ｂを順次通過して外部へ流出し、鍋状容器５内の圧力は低下する。制御手段８は、時間計測手段７により計測された減圧工程の経過時間が所定時間ｔｆに達すると（Ｓ７３；Ｙｅｓ）、ステップＳ８の蒸らし工程に進む。所定時間ｔｆは、鍋状容器５内の圧力が大気圧と同等まで低下するのに必要な時間であり、予め実験等により求められた時間である。
【００５５】
米飯粒は、長時間高圧力状態に保持されると、軟らかすぎたり、粘りすぎたりといった食味低下が起こるが、ステップＳ７の減圧工程において鍋状容器５内の蒸気を抜いて内部が大気圧と同等になるようにすることで、鍋状容器５内が最適な時間だけ高圧力状態を保持することができる。その結果、米飯のデンプンを十分に糊化させつつ、米飯の食味低下を防ぐことができる。
【００５６】
（蒸らし工程）
ステップＳ８の蒸らし工程では、制御手段８は、時間計測手段７に蒸らし工程の経過時間の計測を開始させ、時間計測手段７により計測された経過時間が所定時間に達すると、炊飯工程を終了する。
【００５７】
以上のように、本実施の形態１では、沸騰検知後に大気圧の状態で鍋状容器５を加熱して沸騰を維持させる常圧加熱工程（常圧強火工程及び常圧弱火工程）を設け、常圧加熱工程の後に鍋状容器５内に加圧する加圧工程（加圧強火工程及び加圧弱火工程）を設けた。常圧加熱工程（常圧強火工程及び常圧弱火工程）において米飯粒が十分に吸水した後に、加圧工程（加圧強火工程及び加圧弱火工程）を実行するため、米飯粒の表層に過剰なおねばが付着するのを抑制することができる。このため、べちゃべちゃとした不快な粘りが米飯粒の表層に形成されてしまうことを抑制でき、また米飯粒中心部と表層部との硬さの差が大きくならないため、美味しい米飯を炊き上げることができる。
【００５８】
加圧強火工程及び加圧弱火工程における鍋状容器５内の圧力は、１．７気圧〜２．４気圧とするのが望ましい。
図４は、鍋状容器内の最大圧力及び炊飯時間と、炊き上がりの米飯の状態との関係とを示す表である。図４は、実施の形態１に係る炊飯器１００と同等の構成の炊飯器を用いて、鍋状容器内の最大圧力が１．３気圧、１．７気圧、２．４気圧となるようにし、かつそれぞれについて炊飯時間を異ならせて実験を行った結果を示している。なお、図４における「炊飯時間」とは、炊飯開始から炊飯終了までの時間の合計であり、図２の例では予熱工程、昇温工程、常圧加熱工程、加圧工程、減圧工程、及び蒸らし工程の時間の合計をいう。また、図４では、米飯の炊き上がりの状態を、米粒の糊化の状態で示している。図４に示されるように、鍋状容器５内の圧力が１．３気圧の場合には、炊飯時間が相対的に短時間のとき（炊飯時間が１２分〜２０分のとき）に、米粒の中心部まで十分に糊化しにくい。
【００５９】
このため、加圧強火工程及び加圧弱火工程における鍋状容器５内の圧力は、１．７気圧を下限値とするのが望ましい。
また、圧力式の電気炊飯器である炊飯器１００の耐圧安全性を考慮して、加圧強火工程及び加圧弱火工程における鍋状容器５内の圧力の上限値は、２．４気圧とするのが好ましい。
【００６０】
また、本実施の形態１では、炊飯工程として、予熱工程及び蒸らし工程を含んでいるが、予熱工程及び蒸らし工程は必ずしも実行しなくてもよい。
図５は、実施の形態１に係る炊飯工程の変形例である。図５に示す炊飯工程は、図２に示した炊飯工程から予熱工程及び蒸らし工程を除いたものである。
【００６１】
図５に示す炊飯工程は、昇温工程から開始する。予熱工程を実行しないため、図５に示す昇温工程においては、図２に示した昇温工程よりも長い時間を設けるのが好ましい。特に、米の吸水が急速に進む６０℃以上の温度帯を通過する時間を長く設けるのが好ましい。そのようにすることで、米の吸水が促され、炊き上がったときに芯のない美味しい米飯となる。
【００６２】
また、減圧工程が終了した後は、図２で示した蒸らし工程を実行することなく炊飯工程を終了する。
【００６３】
このように、予熱工程及び蒸らし工程を省くことで、炊飯工程全体の時間を大幅に削減することができる。なお、予熱工程と蒸らし工程のいずれか一方だけを省いてもよく、炊飯工程全体の時間を短縮して短時間炊飯を実現できる。
【００６４】
なお、実施の形態１に示したとおり、大気圧の状態で沸騰を維持する常圧加熱工程（常圧強火工程及び常圧弱火工程）の後に、大気圧よりも高い圧力で加熱することで、炊飯時間を短縮して美味しく米飯を炊き上げることができるため、図２及び図３で示した炊飯工程、又は図５で示した炊飯工程を、通常の炊飯モードに対して短時間で炊飯を終了させるモード（「早炊きモード」）という炊飯メニューとしてもよい。
【００６５】
実施の形態２．
本実施の形態２では、高温の蒸気が炊飯器の外に排出されないように蒸気を冷却する蒸気冷却手段として、蒸気を復水させる水タンクを設けた構成例を示す。なお、本実施の形態２では実施の形態１との相違点を中心に説明し、前述の図１〜図５と同一又は相当する構成には同一の符号を付す。
【００６６】
図６は、実施の形態２に係る炊飯器１００Ａの構成の一例を概略的に示す断面模式図である。図６に基づいて、炊飯器１００Ａについて説明する。この炊飯器１００Ａは、被加熱物（米や水等の食品）を入れた鍋状容器５を加熱コイル３で加熱することで被加熱物を炊き上げるものである。
【００６７】
炊飯器１００Ａは、本体１に着脱自在に取り付けられる水タンク３０を備えている。また、外蓋１１には、鍋状容器５内の蒸気を水タンク３０に導く経路を内部に有する蒸気導管３４が設けられている。
なお、本実施の形態２の炊飯器１００Ａは、実施の形態１で示したカートリッジ１４を備えていない。
【００６８】
（水タンク３０）
水タンク３０は、例えばプラスチックで構成され上面を開口した容器であり、本体１の前面側（図６の紙面右側）に着脱自在に取り付けられている。水タンク３０の上面開口には、タンク蓋３１が着脱自在に嵌め込まれている。タンク蓋３１には、水タンク３０の内部と外部とを連通させる通気孔（図示せず）と、蒸気導管３４のタンク側接続口と接合されるタンク蒸気口３２と、タンク蒸気口３２から水タンク３０内の下方に向かって延びる連通管３３とが設けられている。
【００６９】
（蒸気導管３４）
蒸気導管３４は、炊飯中に発生する鍋状容器５内の被加熱物からの蒸気を取り込んで連通管３３及び水タンク３０に導く部材である。蒸気導管３４は、耐熱性を有する合成樹脂材料等で構成されており、外蓋１１に着脱自在に設置されている。蒸気導管３４の一端側は調圧室２６内に接続され、他端側は連通管３３に接続されている。鍋状容器５内で被加熱物から発生した蒸気は、図６に破線矢印２１０で示すように、調圧口２０を介して調圧室２６に入り、蒸気導管３４に導かれて連通管３３内を流れ、水タンク３０内に貯留された水２０３内に分散して復水する。
【００７０】
次に、本実施の形態２に係る炊飯器１００Ａの炊飯動作についてさらに説明する。
まず、使用者が、所定量の米とその米量に応じた水量の水を入れた鍋状容器５を本体１内の容器カバー２に収納し、所定量の水を入れてタンク蓋３１をした水タンク３０を本体１にセットする。そして、外蓋１１を閉じ、操作表示部１５の炊飯開始スイッチを押して炊飯開始の動作指示を行うと、制御手段８は炊飯工程を開始する。使用者により炊飯開始スイッチがオンされて炊飯開始が指示された後の炊飯工程の動作は、実施の形態１と同様であり、図２及び図３に示す炊飯工程、又は図５に示す炊飯工程を実行する。
【００７１】
以上のように、本実施の形態２の炊飯器１００Ａは、水タンク３０を備え、鍋状容器５内で発生した蒸気は水タンク３０内に予め貯留された水２０３で冷却されて復水する。このため、鍋状容器５内で発生した蒸気は、炊飯器１００Ａの機体外に出ない。図２、３、４に示した減圧工程において、高圧状態の鍋状容器５を大気圧の状態にするために短時間に大量の蒸気が勢いよく鍋状容器５から排出される場合でも、その蒸気は水タンク３０内で復水されるため、蒸気によって炊飯器１００Ａが置かれているキッチンの湿度が高くなって不快な環境になるといったことを防ぐことができる。また、使用者が炊飯器１００Ａを棚に設置して炊飯している場合でも、炊飯器１００Ａの機体外へは蒸気が排出されないため棚内に結露が発生することを予防することができ、蒸気の熱によって棚を傷めてしまうことも防ぐことができる。
【００７２】
なお、本実施の形態２では、蒸気を炊飯器１００Ａの外に排出させない蒸気冷却手段として、水タンク３０内の水で蒸気を冷却して復水する水冷式の手段を示したが、蒸気を炊飯器１００Ａの外部に排出しないための具体的構成はこれに限定されない。例えば、調圧室２６から出た蒸気の通過経路にペルチェを配置し、ペルチェで蒸気を冷却して結露させて蒸気を水として回収してもよい。このようにすることで、高温の蒸気が炊飯器１００Ａの機体外へ排出されないので、前述のとおり、キッチンの湿度が高くなって不快な環境になるといったことを防ぐことができる。また、炊飯器１００Ａを棚に設置して炊飯している場合でも棚内に結露が発生せず、蒸気の熱によって棚を傷めてしまうことも防ぐことができる。
【００７３】
又は、調圧室２６から出た蒸気に送風するファン（送風装置）を設け、ファンからの送風で蒸気を冷却し、低温となった気体を炊飯器１００Ａの外に排出するようにしてもよい。このようにすることで、高温の蒸気が炊飯器１００Ａの機体外へ排出されないので、使用者が炊飯器１００Ａを棚に設置して炊飯している場合でも、蒸気の熱によって棚を傷めてしまうことを防ぐことができる。
【００７４】
なお、実施の形態１及び実施の形態２では、鍋状容器５を加熱することで被調理物から蒸気を発生させ、その蒸気を利用して鍋状容器５内を高圧状態にする例を示したが、鍋状容器５内に加圧する具体的構成はこれに限定されない。例えば、水を貯留する貯水槽とこの貯水槽を加熱する貯水槽加熱手段とを備え、貯水槽内の水を加熱して蒸気にし、その蒸気を鍋状容器内に供給することで鍋状容器５内に加圧するようにしてもよい。こうすることで、被調理物の加熱を抑制しつつ鍋状容器５内の圧力を上昇させることができるので、被加熱物が焦げることがなく、また貯水槽から蒸気の供給を受けることで鍋状容器５内の米飯のツヤが向上する。
【符号の説明】
【００７５】
１  本体、２  容器カバー、２ａ  孔部、３  加熱コイル、４  鍋底温度センサー、５  鍋状容器、５ａ  フランジ部、６  ヒンジ部、７  時間計測手段、８  制御手段、９  蓋パッキン、１０  蓋体、１１  外蓋、１１ａ  パッキン、１２  内蓋、１２ａ  孔部、１３  係止材、１４  カートリッジ、１４ａ  蒸気取入口、１４ｂ  蒸気排出口、１５  操作表示部、１６  内部温度センサー、２０  調圧口、２１  弁座、２２  弁体、２３  フレーム、２４  調圧装置、２５  調圧空間パッキン、２６  調圧室、３０  水タンク、３１  タンク蓋、３２  タンク蒸気口、３３  連通管、３４  蒸気導管、１００  炊飯器、１００Ａ  炊飯器、２００  米、２０１  水、２０３  水。
【図１】
2014144145.tif 000003
【図２】
2014144145.tif 000004
【図３】
2014144145.tif 000005
【図４】
2014144145.tif 000006
【図５】
2014144145.tif 000007
【図６】
2014144145.tif 000008